(57)【特許請求の範囲】
【請求項１】
機器に必要な設備および専用の機器をラックに設置するラックシステムにおいて、
業務処理の機能、会社、あるいは更に会社内のセクション毎に、専用の機器をそれぞれ設置する複数のラックと、
上記各ラック、および当該各ラックに設置した専用の機器にそれぞれ必要な電源を供給、換気、消火および監視を行う第１の基本ラックおよび予備の第２の基本ラックと、
を隣接して配置すると共に、
上記第１の基本ラックに障害が発生したことを検出する手段、および当該手段によって障害が検出されたときに上記第１の基本ラックから上記第２の基本ラックに切替える手段を備えたことを特徴とするラックシステム。
【請求項２】
停電あるいは空調機故障した場合、停電時には上記基本ラック内の無停電電源から各ラックに電源を供給し、停電および空調機故障時には、空調機の運転を停止すると共に上記無停電電源で換気機構を始動して各ラックに換気、およびセンタに故障通知する手段を備えたことを特徴とする請求項１記載のラックシステム。
【請求項３】
上記基本ラックあるいは上記ラックの煙検出あるいは温度異常検出された場合に、上記基本ラックあるいは上記ラックから消火ガスを上記基本ラックおよび上記各ラックに供給して消火する手段を備えたことを特徴とする請求項１あるいは請求項２記載のラックシステム。
【請求項４】
上記各ラックの電源供給あるいは当該各ラックへの空調の時間をそれぞれ集計し、使用料金を算出して上記業務処理の機能、会社、あるいは更に会社内のセクション毎に請求する手段を備えたことを特徴とする請求項１から請求項３のいずれかに記載のラックシステム。
【発明の詳細な説明】
【０００１】
【発明の属する技術分野】
本発明は、機器に必要な設備および専用の機器をラックに設置するラックシステムに関するものである。
【０００２】
【従来の技術】
従来、コンピュータを構成する処理装置、主記憶装置や、その付属装置を収納したラックを設置して各種業務処理に使用する場合、防犯や温湿度環境維持のためにビル内に間仕切りで専用の部屋をそれぞれ独立に作り、二重床で冷風送風、電気・通信配線用スペースを設け、空調設備、換気設備、電源設備、監視制御設備、警備設備、消火設備などを設備別に必要な機器を設計・工事していた。
【０００３】
また、設備、ラック内収納機器の保守、維持管理も設備、機器別に実施していた。
【０００４】
【発明が解決しようとする課題】
上述した従来の手法では、ビル内に専用室を用意し、設備を個別に設置しているので、設備ごとの作業担当（工事担当）を分けているために導入決定からラック導入決定までに多くの設計、打ち合わせ、作業時間（工事時間）を要し、迅速に対処し難いという問題があった。
【０００５】
また、設置後の維持管理や保守作業でも設備毎にそれぞれ分かれていたため、複雑な保守、管理となってしまい、一元管理できないという問題もあった。
【０００６】
本発明は、これらの問題を解決するため、機器に共通に必要な設備（空調、換気、電源、監視、制御、警備、消火などの設備）を内臓した基本ラックを設け、当該基本ラックに隣接してサーバなどの機器を収納した専用のラックをそれぞれ設け、設置スペースの縮小、設置作業を簡便にし、全設備、ラックを統括監視、保守すると共に、使用量などに応じた使用料金を算出して請求することを目的としている。
【０００７】
【課題を解決するための手段】
図１を参照して課題を解決するための手段を説明する。
【０００８】
図１において、基本ラック１は、各ラックおよび各ラックに設置した専用の機器にそれぞれ必要な電源、換気、監視、消火を行なう機器などを設置したラックである。
【０００９】
ラック２は、専用の機器をそれぞれ設置するラックである。
監視センタ４は、ネットワークを介して基本ラック１、ラック２を監視したり、使用料金を算出して請求したりなどするものである。
【００１０】
次に、動作を説明する。
基本ラック１に各ラックおよび各ラックに設置した専用の機器にそれぞれ必要な電源、換気、監視、消火を行なう機器を設置し、隣接して設置した複数のラック２に専用の機器をそれぞれ設置するようにしている。
【００１１】
この際、停電あるいは空調機故障した場合、停電時には基本ラック１内の無停電電源から各ラック２に電源を供給し、停電および空調機故障時には、空調機の運転を停止すると共に換気装置を始動して各ラック２に換気、および監視センタ４に故障通知するようにしている。
【００１２】
また、基本ラック１およびラック２に予備をそれぞれ設け、基本ラック１あるいはラック２に障害が検出された場合に、予備の基本ラック１あるいは予備のラック２に切り替えるようにしている。
【００１３】
また、基本ラック１あるいはラック２の煙検出あるいは温度異常検出された場合に、基本ラック１から消火ガスを基本ラック１および各ラック２に供給して消火するようにしている。
【００１４】
また、基本ラック１あるいはラック２の扉開閉、温度異常、煙検出のいずれか１つ以上、あるいはラック２内の機器に異常検出されたときにネットワークを介して監視センタ４に通知し、保守依頼するようにしている。
【００１５】
また、ラック２の電源供給あるいはラック２への空調の時間を集計し、使用料金を算出して請求するようにしている。
【００１６】
従って、機器に共通に必要な設備（空調、換気、電源、監視、警備、消火などの設備）を内臓した基本ラック１を設け、基本ラック１に隣接してサーバなどの機器を収納した専用のラック２をそれぞれ設けて監視センタから監視したり、使用料を算出して請求したりなどすることにより、設置スペースの縮小、設置作業を簡便にし、全設備、ラックを統括監視、保守すると共に、使用量などに応じた使用料金を算出して請求することが可能となる。
【００１７】
【発明の実施の形態】
次に、図１から図５を用いて本発明の実施の形態および動作を順次詳細に説明する。
【００１８】
図１は、本発明のシステム構成図を示す。
図１において、基本ラック１は、各ラックおよび各ラックに設置した専用の機器にそれぞれ必要な電源、換気、監視、消火を行なう機器などを設置したラックであって、１１から１８より構成されるものである。
【００１９】
分電盤１１は、外部から電源を取り込む端子を設けたものであって、ここでは、常用系と、非常系との２系列の電源ラインを独立に取り込んで端子をそれぞれ設けたものである。
【００２０】
空調機１２は、基本ラック１、ラック２、冗長用ラック３にそれぞれ空調用の空気を送風するものであって、冷却装置などから構成されるものである。
【００２１】
消火装置１３は、基本ラック１内に消火用のガスボンベを収納し、煙検出、異常温度検出時などに不活性ガスを配管を介して基本ラック１、ラック２、冗長用ラック３に供給して火災を消火するものである。
【００２２】
換気装置１４は、室外（あるいは室内）の空気を基本ラック１、ラック２、冗長用ラック３に供給して冷却するものであり、停電時に空調機１２が停止したときに起動し、ＵＰＳ１５の小容量電力で機器の冷却を行なうためのものである。
【００２３】
ＵＰＳ１５は、停電時にバッテリから電源を発生して供給するものである。
侵入検出装置１７は、基本ラック１、ラック２、冗長用ラック３への侵入（例えば扉が開閉されたこと）、人が近づいたことなどを検出するものである。
【００２４】
通知手段１８は、各種異常やラック２毎の電源使用量などをネットワークを介して監視センタ４に通知するものである。
【００２５】
ラック（＃１）２からラック（＃Ｎ）２は、専用のサーバなどを設置したＮ個のラックであって、内部にサーバ（１）２１、サーバ（２）２２などをユニットを収納したものであり、少なくとも１つは予備としたものである。
【００２６】
冗長用ラック（基本ラック）３は、基本ラック１の予備のラックであって、待機して当該基本ラック１に障害が発生したときに即時に切り替わって基本ラック１として動作するものである。
【００２７】
以上の基本ラック１、Ｎ個のラック２、および冗長用ラック（基本ラック）３は、例えば図示のように隣接してビル内の１つの部屋に設置され、、基本ラック１の制御のもとで、Ｎ個のラック２にそれぞれ独立に電源、空調、侵入監視、消火（消火は全体）などを行なうものであり、各ラック２は独立に制御されるものである。
【００２８】
監視センタ４は、ネットワークを介して基本ラック１、複数のラック２、冗長用ラック３などを監視し、異常を受信したときに保守員を手配して急行させたり、各ラック２の電源使用時間、空調使用時間などを計測して請求書を作成したりなどするものである。
【００２９】
図２は、本発明の動作説明フローチャートを示す。
図２において、Ｓ１は、基本ラックを設置する。これは、既述した図１に示すように、ビル内の１室に、基本ラック１を設置する。基本ラック１の内部には、
・分電盤１１：
・空調機１２：
・消火装置１３：
・換気装置１４：
・ＵＰＳ１５：
・監視装置１６：
・侵入検出装置１７：
・通知手段１８：
をそれぞれ設置する。また、同様に、図１の冗長用ラック（基本ラック）３も、全く同様の構成で設置し、基本ラック１に障害発生時に当該障害を検出して起動して切り替えることができる、いわゆる待機状態に設定する。
【００３０】
Ｓ２は、機能・会社・セクション毎にラック２を設置（Ｎ個）する。これは、業務処理の機能、会社、更に会社内のセクション毎にラック２を専用に決め、当該決めたラック２を設置する。各ラック２には、例えば機能１用のサーバ（１）、機能２用のサーバ（２）・・・・というようにＮ個のユニットを設置する。
【００３１】
Ｓ３は、運用開始する。これは、基本ラック１から電源の供給などを受けた各ラック２内のサーバ（１）から（Ｎ）がプログラムに従い所定の業務処理をそれぞれ実行し、運用を開始する。
【００３２】
Ｓ４は、監視する。これは、基本ラック１の監視装置１６、侵入検出装置１７は基本ラック１、ラック２、冗長用ラック３の温度異常、障害発生などを監視、扉の開閉を監視する。
【００３３】
Ｓ５は、保守する。これは、Ｓ４の監視で、異常検出（ラックの扉開閉検出）などしたときに基本ラック１の通知手段１８がネットワークを介して監視センタ４に通知し、当該監視センタ４では異常の度合いに応じて保守員を現場に急行ささせて保守させる。
【００３４】
以上のように、ビルの１つの室内に隣接して、機器に共通に必要な設備（空調、換気、電源、監視、警備、消火などの設備）を内臓した基本ラック１、更に、サーバなどの機器を収納した複数のラック２、更に、冗長用ラック３を設け、監視したり、使用料を算出して請求したりなどすることにより、設置スペースの縮小、設置作業を簡便にし、全設備、ラックを統括監視、保守すると共に、使用量などに応じた使用料金を一括計測した請求を実現することが可能となる。以下順次詳細に説明する。
【００３５】
図３から図５は、本発明の動作説明フローチャートを示す。これら図３から図５は図２の詳細フローチャートを示す。
【００３６】
図３は、本発明の動作説明フローチャート（その１）を示す。
図３において、Ｓ１１は、基本ラック１で事象発生する。例えば図示の下記のような事象が発生する。そして、
・後述する図４の（Ａ）のＳ２１のＹＥＳからＳ２４を実行して図３のＳ１３に進んだり、
・図４の（Ａ）のＳ２１のＮＯ、Ｓ３１のＹＥＳ，Ｓ３２，Ｓ３３を実行して図３のＳ１３に進んだり、
・図４の（Ａ）のＳ２１のＮＯ，Ｓ３１のＮＯ，Ｓ４１のＹＥＳ、Ｓ４２からＳ４４を実行して図３のＳ１３に進む。
【００３７】
・温度異常：
・湿度異常：
・電源異常：
・漏水：
・ドア開閉：
・振動：
・煙：
・ハード障害：
・電界異常：
・赤外線異常：
・その他の異常：
Ｓ１２は、サーバラック２で異常発生する。例えば図示の下記のような事象が発生する。
【００３８】
・温度異常：
・湿度異常：
・漏水：
・ドア開閉：
・煙：
・赤外線異常：
・ハード障害：
・ソフト障害：
・ネットワーク障害：
・ネットワークセキュリティ障害：
・その他の異常：
Ｓ１３は、受信する。これは、Ｓ１１で基本ラック１、Ｓ１２でサーバラック２に発生した事象（障害）を監視センタ４が受信する。
【００３９】
Ｓ１４は、解析する。これは、Ｓ１３で受信した事象を解析する。
Ｓ１５は、事象内容を監視者へ表示する。
【００４０】
Ｓ１６は、監視者が対応する。これは、Ｓ１５で表示された事象内容を監視者が見て対応する（例えばネットワークを介して基本ラック１内の障害回復処理プログラムをリモート起動し、修復を実行させるなどする）。
【００４１】
Ｓ１７は、顧客と保守要員へ事象発生とその内容を連絡する。
Ｓ１８は、遠隔操作による作業を実施する。これは、監視者が遠隔操作により、事象を受信した基本ラック１、サーバラック２の該当する例えば図示の障害を修復するための所定の作業を行なう（再起動、予備があれば予備機器を接続して起動などの作業を行なう）。
【００４２】
・ソフト障害、ハード障害：
・ネットワーク障害：
・ネットワークセキュリティ障害：
・その他の障害：
以上のように、基本ラック１、サーバラック２のいずれかに障害が発生すると、発生した障害の事象が監視センタ４に通知され、監視センタ４では受信した障害の事象を表示し、これを見た監視者が当該障害発生したラック２の顧客および保守要員に通知する。また、遠隔操作で障害発生した基本ラック１、サーバラック２の再起動して修復実施したり、予備機へ切り替えて起動して修復したりすると共に、保守員を現場の基本ラック１、サーバラック２に急行させて障害復旧にあたらせる。
【００４３】
図４は、本発明の動作説明フローチャート（その２）を示す。これは、既述した図３のＳ１１に続けて実行する処理である。
【００４４】
図４において、Ｓ２１は、停電、空調故障の発生か判別する。これは、図１の基本ラック１の停電、空調故障のいずれかの異常が発生したか判別する。ＹＥＳの場合には、Ｓ２２に進む。ＮＯの場合には、Ｓ３１に進む。
【００４５】
Ｓ２２は、空調機を停止する。これは、Ｓ２２で停電、空調機故障のいずれかの障害が発生したと検出されたので、空調機を停止する。
【００４６】
Ｓ２３は、換気装置を始動する。これは、Ｓ２２で空調機を停止させたことに対応して、基本ラック１、ラック２内の機器を冷却するために、外気を取り込んで各ラック２に供給して機器の冷却を行なう。
【００４７】
Ｓ２４は、センタへ通知する。これは、Ｓ２１のＹＥＳで検出した異常（停電、空調機障害）を監視センタ４に通知する。そして、既述した図３のＳ１３に進み、監視センタ４が通知された異常（ここでは、停電、空調機障害）を受信し、対応した処置を監視者が実施する。
【００４８】
以上のＳ２１のＹＥＳ，Ｓ２２からＳ２４によって、停電、空調機障害と検出されたときに、発生した異常と、空調機を停止し、換気装置を始動して外気を基本ラック１、ラック２に供給して機器を冷却している
旨を監視センタ４に通知することが可能となる。
【００４９】
また、図４のＳ３１は、基本ラック障害が発生か判別する。ＹＥＳの場合には、Ｓ３２に進む。ＮＯの場合には、Ｓ４１に進む。
【００５０】
Ｓ３２は、Ｓ３１のＹＥＳで基本ラック障害と判明したので、冗長用ラックに切り替える。これは、図１の基本ラック１の監視装置１６が当該基本ラック１の障害発生と検出したので、障害発生した基本ラック１を停止させると共に、待機中の冗長用ラック（基本ラック）３に切り替え、電源などを各ラック２に供給するようにする。
【００５１】
Ｓ３３は、センタへ通知する。これは、Ｓ３１のＹＥＳで判明した基本ラック１の障害発生、待機中の冗長用ラック（基本ラック）３に切り替えた旨をネットワークを介して監視センタ４に通知する。そして、既述した図２のＳ１３に進む。
【００５２】
以上のＳ３１のＹＥＳ，Ｓ３３によって、基本ラック１に障害発生と検出された場合には、発生した異常と、冗長用ラック３に切り替えて障害復旧した旨を監視センタ４に通知することが可能となる。
【００５３】
図３のＳ４１は、煙、温度異常が検出か判別する。これは、図１の基本ラック１の監視装置１６が基本ラック１、ラック２で煙検出、温度異常検出のいずれかか判別する。ＹＥＳの場合には、Ｓ４２に進む。ＮＯの場合には、終了する。
【００５４】
Ｓ４２は、判断する。これは、Ｓ４１のＹＥＳで煙検出、温度異常のいずれかの異常を検出したと判明したので、消火作業を行なうか判断する。消火作業を行なうと判断された場合には、Ｓ４３に進む。消火作業をまだ行なわず、様子を見るときは煙異常の度合い、温度異常の度合いの経過を見て、消火作業を開始し、あるいは待機かを判断する。
【００５５】
Ｓ４３は、消火作業を行なうと判断された場合に、消火ガスを放出する。これは、図１の消火装置１３が消火作業を行なうと判断された場合に、消火ガスボンベの弁を開放し、配管を介して基本ラック１、ラック２、冗長用ラック３に消火ガスを供給して充満させて消火作業を行なう。
【００５６】
Ｓ４４は、センタへ通知する。これは、煙検出、温度異常検出の旨および消火ガスを基本ラック１、ラック２、冗長用ラック３に供給して消火作業を実施した旨を、ネットワークを介して監視センタ４に通知する。そして、既述した図３のＳ１３に進み、監視センタ４で受信され、Ｓ１４以上の処理が実行される。
【００５７】
以上のＳ４１のＹＥＳ，Ｓ４２からＳ４４によって、煙検出、温度異常検出された場合に、消火ガスを基本ラック１、ラック２、冗長用ラック３に供給して消火作業すると共に監視センタ４に通知することが可能となる。
【００５８】
図５は、本発明の動作説明フローチャート（その３）を示す。
図５において、Ｓ５１は、サーバラック２および空調機１２の電源ＯＮ時間を計測する。これは、監視センタ４がネットワークを介して基本ラック１の監視装置１６に指示し、各サーバラック２の使用時間、および空調機の電源ＯＮ時間をそれぞれ計測させる。
【００５９】
Ｓ５２は、月締め時に集計する。これは、監視センタ４において、顧客の月締め時に、Ｓ５１で計測してサーバラック２の使用時間、および空調機１２の電源ＯＮ時間の集計をそれぞれ行なう。
【００６０】
Ｓ５３は、使用料金を算出する。これは、Ｓ５２で集計した（サーバラック２の使用時間×Ｋ１）＋（空調機の電源ＯＮ時間×Ｋ２）の関係式により、顧客の使用料金を算出する。
【００６１】
Ｓ５４は、請求する。これは、Ｓ５３で算出した使用料金の請求書を顧客に発送する。
【００６２】
以上によって、監視センタ４では、ネットワークを介してサーバラック２の使用時間および空調機の電源ＯＮ時間の集計を行って使用料金を算出し、請求書を自動的に顧客に送付することが可能となる。
【００６３】
（付記１）
機器に必要な設備および専用の機器をラックに設置するラックシステムにおいて、
専用の機器をそれぞれ設置する複数のラックと、
上記各ラックおよび当該各ラックに設置した専用の機器にそれぞれ必要な電源、換気、監視、消火を行なう基本ラックと
を隣接して配置したことを特徴とするラックシステム。
【００６４】
（付記２）
停電あるいは空調機故障した場合、停電時には上記基本ラック内の無停電電源から各ラックに電源を供給し、停電および空調機故障時には、空調機の運転を停止すると共に換気装置を始動して各ラックに換気、およびセンタに故障通知する手段を備えたことを特徴とする付記１記載のラックシステム。
【００６５】
（付記３）
上記基本ラックおよび上記ラックに予備をそれぞれ設け、
上記基本ラックあるいは上記ラックに障害が検出された場合に、予備の基本ラックあるいは予備のラックに切り替える手段を備えたことを特徴とする付記１あるいは付記２記載のラックシステム。
【００６６】
（付記４）
上記基本ラックあるいは上記ラックの煙検出あるいは温度異常検出された場合に、上記基本ラックから消火ガスを当該基本ラックおよび上記各ラックに供給して消火する手段を備えたことを特徴とする付記１から付記３のいずれかに記載のラックシステム。
【００６７】
（付記５）
上記基本ラックあるいは上記ラックの扉開閉、温度異常、煙検出のいずれか１つ以上、あるいは当該ラック内の機器に異常検出されたときにネットワークを介してセンタに通知し、保守依頼する手段を備えたことを特徴とする付記１から付記４のいずれかに記載のラックシステム。
【００６８】
（付記６）
上記ラックの電源供給あるいは当該ラックへの空調の時間を集計し、使用料金を算出して請求する手段を備えたことを特徴とする付記１から付記５のいずれかに記載のラックシステム。
【００６９】
【発明の効果】
以上説明したように、本発明によれば、機器に共通に必要な設備（空調、換気、電源、監視、警備、消火などの設備）を内臓した基本ラック１を設け、基本ラック１に隣接してサーバなどの機器を収納した専用のラック２をそれぞれ設けて監視センタから監視したり、使用料を算出して請求したりなどする構成を採用しているため、設置スペースの縮小、設置作業を簡便にし、全設備、ラックを統括監視、保守すると共に、使用量などに応じた使用料金を算出して請求することが可能となる。
【図面の簡単な説明】
【図１】本発明のシステム構成図である。
【図２】本発明の動作説明フローチャートである。
【図３】本発明の動作説明フローチャート（その１）である。
【図４】本発明の動作説明フローチャート（その２）である。
【図５】本発明の動作説明フローチャート（その３）である。
【符号の説明】
１：基本ラック
１１：分電盤
１２：空調機
１３：消火装置
１４：換気装置
１５：ＵＰＳ
１６：監視装置
１７：侵入検出装置
１８：通知手段
２：ラック（サーバラック）
２１，２２：サーバ
３：冗長用ラック（基本ラック）
４：監視センタ
【図１】
0004004812.tif 000002
【図２】
0004004812.tif 000003
【図３】
0004004812.tif 000004
【図４】
0004004812.tif 000005
【図５】
0004004812.tif 000006